(57)【要約】      （修正有）【課題】揺動式草刈りヘッドを提供する。【解決手段】互いに嵌合する上部カバー６と台座とを備える揺動式草刈りヘッドにおいて、上部カバー６に揺動子装着箇所が設けられ、上部カバー６の側壁には草刈りワイヤ１を伸び出させるワイヤ孔が設けられ、前記揺動子が取外し可能に揺動子装着箇所に取り付けられ、前記揺動子と上部カバー６との間には折られた草刈りワイヤ１が固定され、前記草刈りヘッドが前記草刈り機に接続されている。草刈りヘッドにおける草刈りワイヤが破損した場合に、揺動子を揺れ動いて速やかに草刈りワイヤを取り換えることができる。また、草刈りヘッドは様々な機種の草刈り機に適用でき、良好な汎用性を備える。【選択図】図１
0003207659.tif 000002
【実用新案登録請求の範囲】
【請求項１】
互いに嵌合する上部カバーと台座とを備える揺動式草刈りヘッドにおいて、前記上部カバーに揺動子装着箇所が設けられ、前記揺動子が取外し可能に揺動子装着箇所に取り付けられ、前記揺動子と上部カバーとの間には折られた草刈りワイヤが固定され、前記上部カバーの側壁には草刈りワイヤを伸び出させるワイヤ孔が設けられ、前記草刈りヘッドが前記草刈り機に接続されていることを特徴とする揺動式草刈りヘッド。
【請求項２】
前記草刈り機と草刈りヘッドとが螺接され、前記草刈り機にはさらにナットが螺接されていることを特徴とする、請求項１に記載の揺動式草刈りヘッド。
【請求項３】
前記草刈り機装着孔に六角アダプタが接続され、前記草刈り機が前記六角アダプタにより前記草刈りヘッドに螺接され、前記草刈り機にはさらにナットが螺接されていることを特徴とする、請求項１に記載の揺動式草刈りヘッド。
【請求項４】
前記草刈り機装着孔にボルトが接続され、前記草刈り機が前記ボルトにより前記草刈りヘッドと接続されていることを特徴とする、請求項１に記載の揺動式草刈りヘッド。
【請求項５】
前記草刈り機にはさらにナットが螺接されていることを特徴とする、請求項４に記載の揺動式草刈りヘッド。
【請求項６】
前記ボルトが５／１６インチ−１８右ねじボルト、Ｍ７×１．００左ねじボルト、Ｍ８×１．２５右ねじボルト、又はＭ８×１．２５左ねじボルトであることを特徴とする、請求項４又は５に記載の揺動式草刈りヘッド。
【請求項７】
前記ナットがＭ１０×１．５０左ねじナット、Ｍ１２×１．７５左ねじナット、Ｍ１２×１．５０左ねじナット、３／８インチ−２４左ねじナット、Ｍ１０×１．２５左ねじナット、Ｍ８×１．２５左ねじナット、及びＭ１０×１．００左ねじナットの一つであることを特徴とする、請求項２−６のいずれかに記載の揺動式草刈りヘッド。
【請求項８】
前記ナットが７／１６インチ−２０右ねじナット、５／１６インチ−２４右ねじナット、３／８インチ−２４右ねじナット、及びＭ８×１．２５右ねじナットの一つであることを特徴とする、請求項２−６のいずれかに記載の揺動式草刈りヘッド。
【請求項９】
前記草刈りヘッドと草刈り機との間にカバー用カップが設けられていることを特徴とする、請求項７又は８に記載の揺動式草刈りヘッド。
【請求項１０】
前記ナットと前記草刈り機との間にシム／ワッシャーが設けられていることを特徴とする、請求項７又は８に記載の揺動式草刈りヘッド。
【考案の詳細な説明】
【技術分野】
【０００１】
本実用新案は園芸用具の技術分野に関し、具体的には、揺動式草刈りヘッドに関するものである。
【背景技術】
【０００２】
草刈り機はよくある園芸用具であり、その主な原理としては、モータ又はエンジンによりその草刈りヘッドを駆動して高速に回転させることである。可撓性の草刈りワイヤは草刈りヘッドに収容され、その端部が草刈りヘッドのハウジングにおける孔から伸び出しているものであり、草刈りヘッドが高速に回転すると、それに伴って可撓性の草刈りワイヤも高速に回転するようになることによって、切断の作用を実現する。
【考案の概要】
【考案が解決しようとする課題】
【０００３】
本実用新案は、従来技術に存在している問題点を克服するために、揺動式草刈りヘッドを提供することを目的とする。
【課題を解決するための手段】
【０００４】
上記した技術的目的を実現するために、本実用新案にかかる技術的解決手段は下記のとおりである。
【０００５】
互いに嵌合する上部カバーと台座とを備える揺動式草刈りヘッドにおいて、前記上部カバーに揺動子装着箇所が設けられ、前記揺動子が取外し可能に揺動子装着箇所に取り付けられ、前記揺動子と上部カバーとの間には折られた草刈りワイヤが固定され、前記上部カバーの側壁には草刈りワイヤを伸び出させるワイヤ孔が設けられ、前記草刈りヘッドが前記草刈り機に接続されている揺動式草刈りヘッド。
【０００６】
さらに、前記草刈り機と草刈りヘッドとが螺接され、前記草刈り機にはさらにナットが螺接されている。
【０００７】
さらに、前記草刈り機装着孔に六角アダプタが接続され、前記草刈り機が前記六角アダプタにより前記草刈りヘッドに螺接され、前記草刈り機にはさらにナットが螺接されている。
【０００８】
さらに、前記草刈り機装着孔にボルトが接続され、前記草刈り機が前記ボルトにより前記草刈りヘッドと接続されている。
【０００９】
さらに、前記草刈り機にはさらにナットが螺接されている。
【００１０】
さらに、前記ボルトが５／１６インチ−１８右ねじボルト（『５／１６”−１８右ねじボルト』『５／１６ｉｎｃｈ−１８右ねじボルト』とも記載される。以下同じ）、Ｍ７×１．００左ねじボルト、Ｍ８×１．２５右ねじボルト、又はＭ８×１．２５左ねじボルトである。
【００１１】
さらに、前記ナットがＭ１０×１．５０左ねじナット、Ｍ１２×１．７５左ねじナット、Ｍ１２×１．５０左ねじナット、３／８インチ−２４左ねじナット、Ｍ１０×１．２５左ねじナット、Ｍ８×１．２５左ねじナット、及びＭ１０×１．００左ねじナットの一つである。
【００１２】
さらに、前記ナットが７／１６インチ−２０右ねじナット、５／１６インチ−２４右ねじナット、３／８インチ−２４右ねじナット、及びＭ８×１．２５右ねじナットの一つである。
【００１３】
さらに、前記草刈りヘッドと草刈り機との間にカバー用カップが設けられている。
【００１４】
さらに、前記草刈りヘッドと前記草刈り機との間にシム／ワッシャーが設けられている。
【００１５】
上記した技術的解決手段を採用すれば、本実用新案にかかる草刈りヘッドは、その草刈りワイヤが破損した場合に、揺動子を揺れ動いて速やかに草刈りワイヤを取り換えることができ、また、様々な機種の草刈り機に適用でき、良好な汎用性を備えるという有益な効果を得ることができる。
【図面の簡単な説明】
【００１６】
本実用新案の実施例又は従来技術による技術的解決手段をより明確に説明するために、以下、実施例において使用される必要がある図面について簡単に紹介するが、以下の説明における図面は本実用新案の若干の実施例に過ぎず、当業者にとっては、これらの図面に基づけば、創造的労働を払うことなく、他の図面を得ることもできるのは明らかである。
【図１】本実用新案の実施例にかかる揺動式草刈りヘッドの構造模式図である。
【図２】図１の分解立体図である。
【図３】本実用新案の実施例におけるシムの構造模式図である。
【図４】本実用新案の実施例におけるワッシャーの構造模式図である。
【図５】Ｍ８×１．２５右ねじナットの構造模式図である。
【図６】Ｍ８×１．２５左ねじナットの構造模式図である。
【図７】Ｍ１０×１．００左ねじナットの構造模式図である。
【図８】３／８インチ−２４左ねじナットの構造模式図である。
【図９】３／８インチ−２４右ねじナットの構造模式図である。
【図１０】Ｍ１０×１．２５左ねじナットの構造模式図である。
【図１１】５／１６インチ−２４右ねじナットの構造模式図である。
【図１２】７／１６インチ−２０右ねじナットの構造模式図である。
【図１３】Ｍ１２×１．５０左ねじナットの構造模式図である。
【図１４】Ｍ１２×１．７５左ねじナットの構造模式図である。
【図１５】Ｍ１０×１．５０左ねじナットの構造模式図である。
【図１６】５／１６インチ−１８右ねじボルトの構造模式図である。
【図１７】Ｍ７×１．００左ねじボルトの構造模式図である。
【図１８】Ｍ８×１．２５右ねじボルトの構造模式図である。
【図１９】Ｍ８×１．２５左ねじボルトの構造模式図である。
【図２０】六角アダプタの構造模式図である。
【図２１】六角アダプタの構造模式図である。
【図２２】本実用新案の実施例におけるカバー用カップの構造模式図である。
【考案を実施するための形態】
【００１７】
以下、本実用新案の実施例における図面に合わせて、本実用新案の実施例による技術的解決手段を明確且つ完全に説明するが、説明される実施例は本実用新案の実施例のすべてではなく、単にその一部であることが明らかである。当業者が本実用新案の実施例に基づいて得たあらゆる他の実施例は、本実用新案が保護しようとする範囲に属する。
【００１８】
図１−図２に示されるように、本実用新案の実施例にかかる揺動式草刈りヘッドは、モータを備える草刈り機に接続できるものであり、互いに嵌合する上部カバー６と台座７とを備え、前記上部カバー６に補強リブ３と草刈り機装着孔５が設けられ、草刈り機装着孔５の側壁の上部に接続部２が設けられ、前記台座７には第一の位置決めピン孔と第二の位置決めピン孔とが対称して設けられ、前記第一の位置決めピン孔と第二の位置決めピン孔のいずれにも位置決めピン９が設けられ、前記揺動子１０が前記位置決めピン９を貫通して取外し可能に揺動子装着箇所に取り付けられ、前記揺動子１０の側の位置決めピン９にばね８が嵌設され、ばね８の側に位置する位置決めピン９と揺動子１０との間には折られた草刈りワイヤ１が固定され、前記上部カバー６の側壁には草刈りワイヤ１を伸び出させるワイヤ孔が設けられ、前記草刈りヘッドが前記草刈り機に接続されている。
【００１９】
草刈り機は長期にわたって使用されたことに起因して草刈りワイヤ１が破損した場合に、揺動子１０を揺れ動き、破損した草刈りワイヤを取り外し、改めて新しい草刈りワイヤをを取付けばよいので、草刈りワイヤの取換えがより便利かつ迅速になっている。
【００２０】
具体的な実施例では、前記草刈り機と草刈りヘッドとが螺接され、前記草刈り機にはさらにナットが螺接されている。図５−図１５に示されるように、前記ナットがＭ１０×１．５０左ねじナット２５、Ｍ１２×１．７５左ねじナット２４、Ｍ１２×１．５０左ねじナット２３、３／８インチ−２４左ねじナット１８、Ｍ１０×１．２５左ねじナット２０、及びＭ１０×１．００左ねじナット１７の一つであり、あるいは、前記ナットが７／１６インチ−２０右ねじナット２２、５／１６インチ−２４右ねじナット２１、３／８インチ−２４右ねじナット１９、Ｍ８×１．２５右ねじナット１５、及びＭ８×１．２５左ねじナット１６の一つである。具体的にどんなナットを選択するのは草刈り機におけるねじ軸の長さで決まり、草刈り機におけるねじ軸が長くて草刈りヘッドにおけるねじ穴が短いと、高さの大きいナットを選択するようにし、逆に、高さの小さいナットを選択するようにする。
【００２１】
具体的な実施例では、前記草刈り機装着孔に六角アダプタが接続されており、図２０−図２１に示されるように、前記六角アダプタが第一の六角アダプタ３０又は第二の六角アダプタ３１であり、前記草刈り機が前記六角アダプタにより前記草刈りヘッドと螺接され、前記草刈り機にはさらにナットが設けられている。図５−図１５に示されるように、前記ナットがＭ１０×１．５０左ねじナット２５、Ｍ１２×１．７５左ねじナット２４、Ｍ１２×１．５０左ねじナット２３、３／８インチ−２４左ねじナット１８、Ｍ１０×１．２５左ねじナット２０、及びＭ１０×１．００左ねじナット１７の一つであり、あるいは、前記ナットが７／１６インチ−２０右ねじナット２２、５／１６インチ−２４右ねじナット２１、３／８インチ−２４右ねじナット１９、Ｍ８×１．２５右ねじナット１５、及びＭ８×１．２５左ねじナット１６の一つである。具体的にどんなナットを選択するのは草刈り機におけるねじ軸の長さで決まり、草刈り機におけるねじ軸が長くて草刈りヘッドにおけるねじ穴が短いと、高さの大きいナットを選択するようにし、逆に、高さの小さいナットを選択するようにする。
【００２２】
具体的な実施例では、前記草刈り機装着孔にボルトが接続され、前記草刈り機が前記ボルトにより前記草刈りヘッドと接続されている。図１６−図１９に示されるように、前記ボルトが５／１６インチ−１８右ねじボルト２６、Ｍ７×１．００左ねじボルト２７、Ｍ８×１．２５右ねじボルト２８、又はＭ８×１．２５左ねじボルト２９であり、好ましくは、前記草刈り機にはさらにナットが螺接されている。具体的にどんなボルトを選択するのは草刈りヘッドにおけるねじ穴の深さで決まり、草刈りヘッドにおけるねじ穴が深いと、長いボルトを選択するようにすることができ、逆に、短いボルトを選択するようにする。
【００２３】
具体的な実施例では、前記草刈り機と草刈りヘッドとが螺接され、前記草刈り機にはさらにナットが螺接されている。図５−図１５に示されるように、前記ナットがＭ１０×１．５０左ねじナット２５、Ｍ１２×１．７５左ねじナット２４、Ｍ１２×１．５０左ねじナット２３、３／８インチ−２４左ねじナット１８、Ｍ１０×１．２５左ねじナット２０、及びＭ１０×１．００左ねじナット１７の一つであり、あるいは、前記ナットが７／１６インチ−２０右ねじナット２２、５／１６インチ−２４右ねじナット２１、３／８インチ−２４右ねじナット１９、Ｍ８×１．２５右ねじナット１５、及びＭ８×１．２５左ねじナット１６の一つである。具体的にどんなナットを選択するのは草刈り機におけるねじ軸の長さで決まり、草刈り機におけるねじ軸が長くて草刈りヘッドにおけるねじ穴が短いと、高さの大きいナットを選択するようにし、逆に、高さの小さいナットを選択するようにする。
【００２４】
具体的な実施例では、図２−３に示されるように、前記ナットと草刈り機との間にシム１２／ワッシャー１３が設けられ、前記シム１２／ワッシャー１３は必要に応じて適宜選択されるものである。そのうち、シム１２は接触面積を増大して、摩擦力を増大できるものであり、ワッシャー１３は草刈り機の表面をナットによりする傷をすることから保護し、草刈り機に対するナットの圧力を分散させるためのものである。
【００２５】
具体的な実施例では、前記草刈りヘッドと草刈り機との間にカバー用カップ１４が設けられている。
【００２６】
本実用新案にかかる草刈りヘッドは、異なるボルトやナットにより様々な機種の草刈り機に接続して使用でき、優れた汎用性を備える。
【００２７】
上述は本実用新案を制限するためのものではなく、単に本実用新案の好ましい実施例であり、本実用新案の精神と原則においてなされたあらゆる変更、等価取替、改良等は、本実用新案の保護範囲に含まれるべきである。
【符号の説明】
【００２８】
１  草刈りワイヤ
２  接続部
３  補強リブ
４  ねじ穴
５  草刈り機装着孔
６  上部カバー
７  台座
８  ばね
９  位置決めピン
１０  揺動子
１１  スクリュー
１２  シム
１３  ワッシャー
１４  カバー用カップ
１５  Ｍ８×１．２５右ねじナット
１６  Ｍ８×１．２５左ねじナット
１７  Ｍ１０×１．００左ねじナット
１８  ３／８インチ−２４左ねじナット
１９  ３／８インチ−２４右ねじナット
２０  Ｍ１０×１．２５左ねじナット
２１  ５／１６インチ−２４右ねじナット
２２  ７／１６インチ−２０右ねじナット
２３  Ｍ１２×１．５０左ねじナット
２４  Ｍ１２×１．７５左ねじナット
２５  Ｍ１０×１．５０左ねじナット
２６  ５／１６インチ−１８右ねじボルト
２７  Ｍ７×１．００左ねじボルト
２８  Ｍ８×１．２５右ねじボルト
２９  Ｍ８×１．２５左ねじボルト
３０  第一の六角アダプタ
３１  第二の六角アダプタ
【図１】
0003207659.tif 000003
【図２】
0003207659.tif 000004
【図３】
0003207659.tif 000005
【図４】
0003207659.tif 000006
【図５】
0003207659.tif 000007
【図６】
0003207659.tif 000008
【図７】
0003207659.tif 000009
【図８】
0003207659.tif 000010
【図９】
0003207659.tif 000011
【図１０】
0003207659.tif 000012
【図１１】
0003207659.tif 000013
【図１２】
0003207659.tif 000014
【図１３】
0003207659.tif 000015
【図１４】
0003207659.tif 000016
【図１５】
0003207659.tif 000017
【図１６】
0003207659.tif 000018
【図１７】
0003207659.tif 000019
【図１８】
0003207659.tif 000020
【図１９】
0003207659.tif 000021
【図２０】
0003207659.tif 000022
【図２１】
0003207659.tif 000023
【図２２】
0003207659.tif 000024